(57)【要約】【課題】  本発明は洗濯機用洗剤容器を洗濯機の側面に簡単に着脱可能に取付けたり、洗濯機近傍の壁面に簡単に着脱可能に取付けることができ、洗剤容器の収納保管を整理整頓状態にでき、かつ洗剤を楽に使用することができる部位に支持させることができる洗剤容器収納ケースを得るにある。【解決手段】  支持板と、この支持板の前面へ突出し、洗濯用洗剤が収納された洗剤容器を、該洗剤容器の開閉蓋の開閉が可能に支持することができる洗剤容器支持台と、前記支持板の背面に取付けられた洗濯機の側面あるいは洗濯機が設置された部位近傍の壁面に着脱可能に取付けることができる吸盤や磁石を用いた取付具とで洗剤容器支持ケースを構成している。【選択図】  図１
2010179007.tif 000002
【特許請求の範囲】
【請求項１】
支持板と、この支持板の前面へ突出し、洗濯用洗剤が収納された洗剤容器を、該洗剤容器の開閉蓋の開閉が可能に支持することができる洗剤容器支持台と、前記支持板の背面に取付けられた洗濯機の側面あるいは洗濯機が設置された部位近傍の壁面に着脱可能に取付けることができる吸盤や磁石を用いた取付具とからなることを特徴とする洗剤容器支持ケース。
【請求項２】
洗剤容器支持台は支持板の上下部に設けられ、下部の洗剤容器支持台の前部と上部の洗剤容器支持台の前部とは補強用の支持板が設けられていることを特徴とする請求項１記載の洗剤容器支持ケース。
【請求項３】
支持板に取付けられた取付具は、該支持板の四隅部に取付けられた取り外し片を有する４個の洗濯機の側面に取付けることができる吸盤であることを特徴とする請求項１記載の洗剤容器支持ケース。
【請求項４】
取付具は支持板の四隅部に取付けられた取り外し片を有する吸盤あるいは磁石と、洗濯機が設置された部位の近傍の壁面に接着剤あるいは両面テープで固定された、前記吸盤あるいは磁石が着脱可能に取付けることができる取付板とで構成されていることを特徴とする請求項１記載の洗剤容器支持ケース。
【発明の詳細な説明】
【技術分野】
【０００１】
本発明は洗濯機で使用する粉末や液体の洗濯用洗剤が収納された洗剤容器の収納保管が可能な洗剤容器支持ケースに関する。
【背景技術】
【０００２】
従来、洗濯機で使用する洗濯用洗剤が収納された洗剤容器は、洗濯機の近傍に設置した棚に収納したり、洗濯機の近傍に棚を設けることができない場合には、洗濯機近傍の床面に置いている。
【０００３】
このため、洗濯機用洗剤の収納保管のために棚を設けたりしなければならないという欠点があるとともに、棚を設置できない所では床面に置くため、使用しずらかったり、整理整頓ができず、洗濯機の周辺が見苦しくなるという欠点があった。
【先行技術文献】
【特許文献】
【０００４】
【特許文献１】特になし
【発明の概要】
【発明が解決しようとする課題】
【０００５】
本発明は以上のような従来の欠点に鑑み、洗濯機用洗剤容器を洗濯機の側面に簡単に着脱可能に取付けたり、洗濯機近傍の壁面に簡単に着脱可能に取付けることができ、洗剤容器の収納保管を整理整頓状態にでき、かつ洗剤を楽に使用することができる部位に支持させることができる洗剤容器収納ケースを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は支持板と、この支持板の前面へ突出し、洗濯用洗剤が収納された洗剤容器を、該洗剤容器の開閉蓋の開閉が可能に支持することができる洗剤容器支持台と、前記支持板の背面に取付けられた洗濯機の側面あるいは洗濯機が設置された部位近傍の壁面に着脱可能に取付けることができる吸盤や磁石を用いた取付具とで洗剤容器支持ケースを構成している。
【発明の効果】
【０００８】
以上の説明から明らかなように、本発明にあっては次に列挙する効果が得られる。
【０００９】
（１）支持板と、この支持板の前面へ突出し、洗濯用洗剤が収納された洗剤容器を、該洗剤容器の開閉蓋の開閉が可能に支持することができる洗剤容器支持台と、前記支持板の背面に取付けられた洗濯機の側面あるいは洗濯機が設置された部位近傍の壁面に着脱可能に取付けることができる吸盤や磁石を用いた取付具とで構成されているので、洗濯機の側面に吸盤や磁石を用いた取付具で取付けることができる。
したがって、洗濯機の側面に洗剤容器を収納保管でき、楽に洗剤を使用できるとともに、自動的に整理整頓を図ることができる。
【００１０】
（２）前記（１）により、棚等を設けることができない狭い場所に設置された洗濯機でも取付けることができ、効率よく、楽に使用することができる。
【００１１】
（３）前記（１）によって、洗濯機の設置されている近傍の壁面にも取付具で取付けることができるので、効率よく楽に洗剤を洗濯機に使用することができる。
【００１２】
（４）前記（１）によって、洗濯機の側面や、洗濯機の設置されている近傍の壁面に着脱可能に取付けることができるので、洗濯機を改造したりすることなく、楽に安価に使用することができる。
【００１３】
（５）請求項２は前記（１）〜（４）と同様な効果が得られるとともに、予備の洗剤容器も収納保管しておくことができる。
また、２個の洗剤容器と本願の洗剤容器支持ケースをセットにして販売することもできる。
【００１４】
（６）請求項３も前記（１）〜（４）と同様な効果が得られるとともに、安価で、どこにでも取付けることができる。
【００１５】
（７）請求項4も前記（１）〜（４）と同様な効果が得られるとともに、洗濯機が設置されている近傍の壁面にでも、確実に着脱可能に取付けることができる。
【図面の簡単な説明】
【００１６】
【図１】本発明を実施するための第１の形態の使用状態の正面図。
【図２】本発明を実施するための第１の形態の使用状態の側面図。
【図３】本発明を実施するための第１の形態の正面図。
【図４】本発明を実施するための第１の形態の側面図。
【図５】本発明を実施するための第１の形態の背面図。
【図６】本発明を実施するための第１の形態の平面図。
【図７】本発明を実施するための第１の形態の底面図。
【図８】図３の８−８線に沿う断面図。
【図９】本発明を実施するための第１の形態の洗剤容器の開閉蓋を開放した状態の説明図。
【図１０】本発明を実施するための第１の形態の異なる使用状態の正面図。
【図１１】本発明を実施するための第１の形態の異なる使用状態の側面図。
【図１２】本発明を実施するための第２の形態の正面図。
【図１３】本発明を実施するための第２の形態の側面図。
【図１４】本発明を実施するための第２の形態の背面図。
【図１５】図１２の１５−１５線に沿う断面図。
【図１６】本発明を実施するための第２の形態の洗剤容器の説明図。
【図１７】本発明を実施するための第３の形態の正面図。
【図１８】本発明を実施するための第３の形態の側面図。
【図１９】本発明を実施するための第３の形態の背面図。
【図２０】本発明を実施するための第４の形態の使用状態の正面図。
【図２１】本発明を実施するための第４の形態の使用状態の側面図。
【図２２】本発明を実施するための第４の形態の分解斜視図。
【図２３】本発明を実施するための第５の形態の正面図。
【図２４】本発明を実施するための第５の形態の側面図。
【図２５】本発明を実施するための第５の形態の背面図。
【図２６】本発明を実施するための第6の形態の正面図。
【図２７】本発明を実施するための第6の形態の側面図。
【発明を実施するための形態】
【００１７】
以下、図面に示す本発明を実施するための形態により、本発明を詳細に説明する。
【００１８】
図１ないし図９に示す本発明を実施するための第１の形態において、１は洗濯機２で使用する洗濯用洗剤が収納された箱状の洗剤容器３を洗濯機２の側面２ａ等に収納保管できる合成樹脂材製の本発明の洗剤容器支持ケースで、この洗剤容器支持ケース１は長方形状の板材の両側部に弧状の凹部４、４が形成された支持板５と、この支持体５の上下部の前面へ突出し、前記洗剤容器３の開閉蓋３ａの開閉が可能に収納することができる、該支持板５側にスペーサ６、６を配置した長方形浅皿状の洗剤容器支持台７、７と、前記支持板５の背面の四隅部に取付けられた洗濯機２の側面２ａに取付けることができる取り外し片８を有する吸盤９、９、９、９を用いた取付具１０と、前記洗剤容器支持台７、７の前部間には両側場が弧状の凹部４、４が形成された補強用の支持板１１とで構成されている。
【００１９】
このように構成された洗剤容器支持ケース１は洗濯機２の前部あるいは側部の側面２ａに取付具１０としての４個の吸盤９、９、９、９を押し付けて支持板５を固定状態で取付ける。  
しかる後、上部の洗剤容器支持台７に使用する洗剤容器３を支持させ、下部の洗剤容器支持台７に予備の洗剤容器３を収納保管する。
洗剤の使用時には上部の洗剤容器支持台７に支持された洗剤容器３の開閉蓋３ａを開放する。この時、支持板５側のスペーサ６によって、開閉蓋３ａを開放させるためのスペースが、洗濯機２の側面２ａとの間に生じて開放状態を保つことができ、この状態で洗剤容器３内の洗剤をスプーンですくって洗濯槽内へ楽に投入することができる。
なお、洗剤容器支持台７にスペーサ６を設けていない場合には、洗剤容器３の開閉蓋３ａの開放端を洗濯機２の側面２ａ側に位置させて、洗剤容器支持台７に支持させるとよい。
また、洗剤の販売時には洗剤容器支持ケース１だけの販売は勿論、２個の洗剤容器３、３と洗剤容器支持ケース１とをセットにして販売することができる。
[発明を実施するための異なる形態]
【００２０】
次に、図１２ないし図２７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１０ないし図１６に示す本発明を実施するための第２の形態において、前記本発明を実施するための第１の形態と主に異なる点は、スペーサのない洗剤容器支持台７Ａ、７Ａを用いるとともに、洗剤容器本体１２の一方の短辺側より他方の短辺側へ開放することができる開閉蓋３ｂを用いた洗剤容器３Ａ、３Ａを用いた点で、このように構成した洗剤容器支持ケース１Ａにしても、前記本発明を実施するための第１の形態と同様な作用効果が得られる。
【００２２】
図１７ないし図１９に示す本発明を実施するための第３の形態において、前記本発明を実施するための第１の形態と主に異なる点は、支持板５の下部に洗剤容器支持台７を設けた１個の洗剤容器３を収納保管する洗剤容器支持ケース１Ｂにした点で、このように構成しても前記本発明を実施するための第１の形態と同様な作用効果が得られる。
【００２３】
図２０ないし図２２に示す本発明を実施するための第４の形態において、前記本発明を実施するための第１の形態と主に異なる点は、洗濯機２が設置された近傍の壁面１３に、背面に接着剤や両面接着テープ１４が取付けられたステンレス板等の表面が平坦な取付板１５と、この取付板１５に吸着固定することができる支持板５に取付けられた４個の吸盤９、９、９、９とからなる取付具１０Ａを用いた点で、このような取付具１０Ａを用いて構成した洗剤容器支持ケース１Ｃは洗濯機の近傍の壁面や洗濯機の側面にも取付けて使用することができる。
【００２４】
図２３ないし図２５に示す本発明を実施するための第５の形態において、前記本発明を実施するための第１の形態と主に異なる点は、吸盤の代わりに磁石１６、１６、１６、１６を用いた取付具１０Ｂを用いた点で、このような取付具１０Ｂを用いた洗剤容器支持ケース１Ｄにしても、洗濯機の側面が金属材であれば前記第１の実施の形態と同様な作用効果が得られる。
なお、本発明の実施の形態では４個の吸盤と４個の磁石を併用させてもよい。
また、磁石は支持板の背面全体に１個あるいは上下部位に２個配置してもよい。
【００２５】
図２６および図２７に示す本発明を実施するための第６の形態において、前記本発明を実施するための第１の形態と主に異なる点は、長方形浅皿状の洗剤容器支持台７、７に液体洗剤が収納されたボトル容器３Ｂと、詰め替え用の容器３Ｃを収納することができるようにした点で、このように構成した洗剤容器支持ケース１Ｅにしても前記本発明を実施するための第１の形態と同様な作用効果が得られる。
【産業上の利用可能性】
【００２６】
本発明は洗剤容器を洗濯機の側面あるいは洗濯機近傍の壁面に設置することができる洗剤容器支持ケースの製造産業で利用される。
【符号の説明】
【００２７】
１、１Ａ、１Ｂ、１Ｃ、１Ｄ、１Ｅ：洗剤容器支持ケース、
２：洗濯機、                  ３、３Ａ、３Ｂ：洗剤容器、
４：弧状の凹部、              ５：支持板、            
６：スペーサ、                ７、７Ａ：洗剤容器支持台、
８：取り外し片、              ９：吸盤、
１０、１０Ａ、１０Ｂ：吸盤、  １１：補強用の支持台、
１２：洗剤容器本体、          １３：壁面、
１４：両面接着テープ          １５：取付板、
１６：磁石。
【図１】
2010179007.tif 000003
【図２】
2010179007.tif 000004
【図３】
2010179007.tif 000005
【図４】
2010179007.tif 000006
【図５】
2010179007.tif 000007
【図６】
2010179007.tif 000008
【図７】
2010179007.tif 000009
【図８】
2010179007.tif 000010
【図９】
2010179007.tif 000011
【図１０】
2010179007.tif 000012
【図１１】
2010179007.tif 000013
【図１２】
2010179007.tif 000014
【図１３】
2010179007.tif 000015
【図１４】
2010179007.tif 000016
【図１５】
2010179007.tif 000017
【図１６】
2010179007.tif 000018
【図１７】
2010179007.tif 000019
【図１８】
2010179007.tif 000020
【図１９】
2010179007.tif 000021
【図２０】
2010179007.tif 000022
【図２１】
2010179007.tif 000023
【図２２】
2010179007.tif 000024
【図２３】
2010179007.tif 000025
【図２４】
2010179007.tif 000026
【図２５】
2010179007.tif 000027
【図２６】
2010179007.tif 000028
【図２７】
2010179007.tif 000029